(57)【要約】【課題】タバコの吸殻等回収装置において、その回収室からタバコの臭いや汚れた空気が外部へ漏れ出してその付近の環境を悪化するのを防止すること、すなわち、回収室内を容易に脱臭でき且つ回収室内の空気を容易に浄化できるようにすることを課題とする。【解決手段】タバコの吸殻等を運ぶコンベヤ８を内蔵したレール３と、そのレール３の終端に設置されてコンベヤ８によって運ばれてきたタバコの吸殻等を収容する回収室１６とを具え、その回収室１６の内部に、酸化チタン等の光触媒１８を備えるとともに、その光触媒１８を照射する光源２０を設けたことを特徴とする。【選択図】　　　　図２
2004016326.tif 000002
【特許請求の範囲】
【請求項１】
タバコの吸殻等を運ぶコンベヤ８を内蔵したレール３と、そのレール３の終端に設置されてコンベヤ８によって運ばれてきたタバコの吸殻等を収容する回収室１６とを具え、その回収室１６の内部に、酸化チタン等の光触媒１８を備えるとともに、その光触媒１８を照射する光源２０を設けたことを特徴とするタバコの吸殻等回収装置。
【請求項２】
光触媒１８をペレット状にした請求項１記載のタバコの吸殻等回収装置。
【発明の詳細な説明】
【０００１】
【発明の属する技術分野】
本発明は、パチンコ店などに設置するタバコの吸殻等回収装置に関する。
【０００２】
【従来の技術】
パチンコ店などでは、タバコを吸いながらパチンコやスロットマシン等の遊技機で遊ぶ客が多い。しかしながら、タバコの煙や臭いを嫌悪する客も多い。そこで、タバコの吸殻等を回収する装置をパチンコ台やスロットマシンなどの遊技機の傍に設置する店が増えている。
【０００３】
このような装置として、遊技機の前に玉箱などを置くために設けた台の下面側に、ベルト等のコンベヤを内蔵したレールを取り付け、そのレールのコンベヤによって台に設けた灰皿から落下させる吸殻等を回収室まで運ぶようにした装置が存在する。
【０００４】
このような装置における回収室の内部は、多量の吸殻等が蓄まるので、タバコの臭いが強くなり、又、空気の汚れもひどくなる。そして、そのタバコの臭いや汚れた空気が回収室の外へ漏れ出すので、その付近の客は快適な環境でパチンコやスロットマシンなどを楽しむことができないという不満があった。
【０００５】
【発明が解決しようとする課題】
そこで本発明は、回収室からタバコの臭いや汚れた空気が外部へ漏れ出してその付近の環境を悪化するのを防止すること、すなわち、回収室内を容易に脱臭でき且つ回収室内の空気を容易に浄化できるタバコの吸殻等回収装置の提供を課題とする。
【０００６】
【課題を解決するための手段】
上記課題を解決するために、本発明のタバコの吸殻等回収装置は、タバコの吸殻等を運ぶコンベヤ８を内蔵したレール３と、そのレール３の終端に設置されてコンベヤ８によって運ばれてきたタバコの吸殻等を収容する回収室１６とを具え、その回収室１６の内部に、酸化チタン等の光触媒１８を備えるとともに、その光触媒１８を照射する光源２０を設けたことを特徴とする、という構成にしたものである。
【０００７】
なお、光触媒１８はペレット状にすることが可能である。
【０００８】
【発明の実施の形態】
以下、図示した実施例に基づき本発明の実施の形態について説明する。まず、本発明のタバコの吸殻等回収装置は、図１及び図３に示すように、パチンコ台やスロットマシンなどの遊技機１の前に玉箱などを置くために設けた台２の下面側に取り付けるレール３を具えている。なお、台２の上面側には灰皿４を一体的に設け、その灰皿４は台２の下面側に開口するようにして、灰皿４に入れた吸殻等は台２の下に落下してレール３の内部に入るようにしている。
【０００９】
レール３は、台２の下面側に取り付けるレール本体５と、そのレール本体５に対し着脱自在なレールカバー６とにより構成することができる。このレール本体５とレールカバー６の長さは自由であるが、レール本体５は１本の長さを約４ｍ程度にし、又、レールカバー６は１本の長さを約２ｍ程度にすることができる。そして、レール本体５とレールカバー６は、図１に示すように、それぞれ複数本を横方向に並べて連続させることにより使用することができる。なお、レール本体５とレールカバー６はアルミ等金属で成形することができる。
【００１０】
レール本体５は、図２及び図３に示すように、その内部スペース７にベルト等のコンベヤ８を備えている。なお、この内部スペース７には、図示した実施例のように、コンベヤ８の往路用のガイド板部９を設けて、そのガイド板部９によりコンベヤ８の往路と復路を上下に仕切ることができる。なお、コンベヤ８の復路用のガイド板部１０はレールカバー６に設けることができる。また、レール本体５の天板部１１において上記の灰皿４と対応する位置には、灰皿４と開通する吸殻等落下孔（図は省略）を設けている。
【００１１】
レールカバー６はレール本体５の開口部を覆うことができる形状とし、かつ、レール本体５に対し着脱自在にすることができる。その着脱機構は自由であるが、例えば図示した実施例のように、レールカバー６の幅方向の両端、すなわち前後方向の両端にそれぞれフック部１２，１３を設けるとともに、レール本体５の幅方向の両端にそれぞれ上記のフック部１２，１３が掛止可能なフック受部１４，１５を設けた構造にすることができる。
【００１２】
レール３の内部のコンベヤ８はモータ（図は省略）で駆動し、輪状で無端のコンベヤ８はレール３内を循環して往復するようにしている。また、レール３の終端には吸殻等の回収室１６を設けている。すなわち、灰皿４に入れた吸殻等は、その灰皿４からレール本体５の中に落ちてコンベヤ８の上に載り、そのコンベヤ８により回収室１６まで運ばれることになる。
【００１３】
回収室１６の中にはコンベヤ８から落下する吸殻等を収容する回収箱１７を具えている。そして、この回収箱１７の中には酸化チタン等の光触媒１８を備えている。なお、光触媒１８は、図示した実施例のようにペレット状にすることができる。この光触媒１８を備える方法は自由であり、例えば図示した実施例のように、回収箱１７の中にネット１９を張って、そのネット１９の上にペレット状にした多数の光触媒１８を載せて保持することができる。コンベヤ８から落下して回収箱１７に入った吸殻等は光触媒１８のペレットの上に落ちて光触媒１８と接触することになる。
【００１４】
なお、ここで使用する光触媒１８としては、上記の酸化チタンの他に、ガリウムリン、ガリウム砒素、硫化カドミウム、チタン酸ストロンチウム、酸化亜鉛、酸化鉄、及び酸化タングステン等の半導体や、金属イオン、金属錯体などが使用可能であるが、酸化チタンが最も好ましい。
【００１５】
また、光触媒１８をペレット状とする場合、そのペレットの形状はボール状、円柱状など自由である。このペレツトは種々の方法により製造することができる。例えば、酸化チタン等の粉末を焼き固めて製造する方法、酸化チタン等の粉末を粘土などの無機の接着剤に混ぜて焼き固めることにより製造する方法、セラミック、金属、ガラス等のペレット又は小石などに酸化チタン等の光触媒コーティング液をコートして加熱することにより表面に酸化チタン膜を被覆して製造する方法、金属チタン等のペレツトの表面を酸化して酸化チタン等のペレットにする方法等である。
【００１６】
なお、光触媒１８はペレット状とする以外にも種々の形態で回収室１６の内部に備えることができる。例えば、光触媒１８をフィルム状にして壁面等に貼り付けたり、光触媒１８の分散液を回収室１６の内部に散布する等である。
【００１７】
また、回収室１６の内部には、上記の光触媒１８を照射できる位置に光源２０を設けている。この光源２０としては、紫外線を含むもの、例えば水銀ランプ、キャノンランプ、ブラックライト、ケミカルライト、発光ダイオード等を使用可能である。
【００１８】
光触媒１８に光源２０から光を照射すると酸化力の強いＯＨラジカルなどの活性酸素を発生し、その活性酸素がタバコの臭いの分子を分解して脱臭し、又、回収室内の汚れた気体の分子を分解して空気を浄化する。
【００１９】
なお、回収箱１７は、その内部に水（図は省略）を入れて吸殻の残火を消火することが可能である。また、回収室１６の内部に散水装置（図は省略）を設けて、その散水装置により回収箱１７の内部へ上方から散水して吸殻の残火を消火することも可能である。
【００２０】
【発明の効果】
本発明のタバコの吸殻等回収装置は、多量の吸殻を収容する回収室内が光触媒１８により脱臭され且つ空気が浄化されるので、回収室１６からタバコの臭いや汚れた空気が外部へ漏れ出ることが無く、その付近の客が快適な環境でパチンコやスロットマシンなどを楽しむことができる。
また、請求項２記載のように光触媒１８をペレット状にすれば、光触媒１８を取り扱いやすくなる。つまり、上記実施例におけるネット１９や皿状の容器に入れるだけで回収室内に備えることができる。また、汚れた場合に簡単に洗浄できるので繰り返し使用することも可能である。
【図面の簡単な説明】
【図１】回収装置全体の正面図である。
【図２】回収室の断面図である。
【図３】図１Ａ−Ａ線における断面図である。
【符号の説明】
１　遊技機
２　台
３　レール
４　灰皿
５　レール本体
６　レールカバー
７　内部スペース
８　コンベヤ
９　ガイド板部
１０　ガイド板部
１１　天板部
１２　フック部
１３　フック部
１４　フック受部
１５　フック受部
１６　回収室
１７　回収箱
１８　光触媒
１９　ネット
２０　光源
【図１】
2004016326.tif 000003
【図２】
2004016326.tif 000004
【図３】
2004016326.tif 000005